(57)【要約】  【課題】大きいピクセル数の画像信号を用いて小さいピクセル数の表示装置に素早く画像表示する。  【解決手段】電子カメラは、撮影指示に応じて撮像素子２に電荷蓄積させ、掃き出させた画像信号をメモリ８に格納し、表示装置７による再生表示にも記録媒体１３への記録にも用いる。再生表示用の処理では、画像信号に対して減少処理を行ってから色補間処理を行う。減少処理ではサブピクセル単位で画像信号を間引き、減少処理によってサブピクセルの色情報が変わらないようにする。記録媒体１３への記録用の処理では、メモリ８に格納し、減少処理を行っていない画像信号に色補間処理を行う。  【選択図】図５
2007096677.tif 000002
【特許請求の範囲】
【請求項１】
撮像素子の画素位置に対応した所定配列の色成分信号で形成される画像信号を色補間する色補間処理と、
前記色補間処理後の画像信号による再生画像を表示する表示装置の表示ピクセル数より大きいピクセル数の画像信号の信号数を、前記色補間処理の前に前記表示ピクセル数に応じて減少させる信号数減少処理とを行うことを特徴とする画像処理装置。
【請求項２】
画素位置に対応して所定配列の色フィルタが形成されている撮像素子と、
前記撮像素子から出力される画像信号に対して色補間する色補間手段と、
前記色補間された画像信号による再生画像を表示する表示装置と、
前記表示装置の表示ピクセル数より大きなピクセル数の画像信号の信号数を前記表示ピクセル数に応じて減少させる信号数減少手段と、
少なくとも前記信号数が減少された画像信号に対して前記色補間するように前記信号数減少手段および前記色補間手段をそれぞれ制御する制御手段とを備えることを特徴とする撮像装置。
【請求項３】
請求項２に記載の撮像装置において、
前記信号数減少手段は、撮影指示に応じて前記撮像素子から出力される画像信号の信号数を減少させ、
前記表示装置は、撮影画像を表示することを特徴とする撮像装置。
【請求項４】
請求項２または３に記載の撮像装置において、
前記表示装置の表示ピクセル数より大きなピクセル数の画像信号を記録媒体に記録する記録手段をさらに備え、
前記色補間手段は、前記記録媒体に記録される画像信号を色補間する場合、前記記録媒体に記録される画像信号と前記表示装置に表示される画像信号とで異なる色補間を行うことを特徴とする撮像装置。
【請求項５】
請求項２〜４のいずれか一項に記載の撮像装置において、
前記色フィルタの色配列はベイヤー配列であり、
前記信号数減少手段は、前記ベイヤー配列を保つように画像信号の信号数を減少させることを特徴とする撮像装置。
【請求項６】
撮像素子の画素位置に対応した所定配列の色成分信号で形成される画像信号を入力する画像入力処理と、
前記入力された画像信号を色補間する色補間処理と、
前記色補間処理後の画像信号による再生画像を表示する表示装置の表示ピクセル数より大きいピクセル数の画像信号の信号数を、前記色補間処理の前に前記表示ピクセル数に応じて減少させる信号数減少処理と、
前記信号数減少処理と前記色補間処理とが施された画像信号を前記表示装置へ出力する画像出力処理とをコンピュータ装置に実行させることを特徴とする画像処理プログラム。
【発明の詳細な説明】
【技術分野】
【０００１】
本発明は、電子画像に対する画像処理に関する。
【背景技術】
【０００２】
撮像素子で撮像された画像を表示装置に素早く再生表示する技術が知られている（特許文献１参照）。
【０００３】
【特許文献１】特許第３４２９０６１号公報
【発明の開示】
【発明が解決しようとする課題】
【０００４】
特許文献１に記載の技術では、表示装置の表示ピクセル数（ドット数）より大きいピクセル数を有する撮像素子から、表示ピクセル数に応じた小さいピクセル数の画像信号が間引き出力され、間引き出力された画像信号が補間処理される。表示装置には、補間処理後の画像信号による再生画像が表示される。この方式では、画像信号が大きいピクセル数を有している場合に適用が困難である。
【課題を解決するための手段】
【０００５】
本発明による画像処理装置は、撮像素子の画素位置に対応した所定配列の色成分信号で形成される画像信号を色補間する色補間処理と、色補間処理後の画像信号による再生画像を表示する表示装置の表示ピクセル数より大きいピクセル数の画像信号の信号数を、色補間処理の前に表示ピクセル数に応じて減少させる信号数減少処理とを行うことを特徴とする。
本発明による撮像装置は、画素位置に対応して所定配列の色フィルタが形成されている撮像素子と、撮像素子から出力される画像信号に対して色補間する色補間手段と、色補間された画像信号による再生画像を表示する表示装置と、表示装置の表示ピクセル数より大きなピクセル数の画像信号の信号数を表示ピクセル数に応じて減少させる信号数減少手段と、少なくとも信号数が減少された画像信号に対して色補間するように信号数減少手段および色補間手段をそれぞれ制御する制御手段とを備えることを特徴とする。
請求項２に記載の撮像装置において、信号数減少手段は、撮影指示に応じて撮像素子から出力される画像信号の信号数を減少させてもよく、この場合の表示装置は撮影画像を表示することができる。
請求項２または３に記載の撮像装置はさらに、表示装置の表示ピクセル数より大きなピクセル数の画像信号を記録媒体に記録する記録手段を備えてもよく、色補間手段は、記録媒体に記録される画像信号を色補間する場合、記録媒体に記録される画像信号と表示装置に表示される画像信号とで異なる色補間を行うこともできる。
請求項２〜４のいずれか一項に記載の撮像装置において、色フィルタの色配列はベイヤー配列でもよく、この場合の信号数減少手段は、ベイヤー配列を保つように画像信号の信号数を減少させることもできる。
本発明による画像処理プログラムは、撮像素子の画素位置に対応した所定配列の色成分信号で形成される画像信号を入力する画像入力処理と、入力された画像信号を色補間する色補間処理と、色補間処理後の画像信号による再生画像を表示する表示装置の表示ピクセル数より大きいピクセル数の画像信号の信号数を、色補間処理の前に表示ピクセル数に応じて減少させる信号数減少処理と、信号数減少処理と色補間処理とが施された画像信号を表示装置へ出力する画像出力処理とを実行することを特徴とする。
【発明の効果】
【０００６】
本発明によれば、大きいピクセル数の画像信号を用いて小さいピクセル数の表示装置に素早く画像表示できる。
【発明を実施するための最良の形態】
【０００７】
本発明による画像処理装置は、カラー電子画像を液晶モニタなどの表示装置に再生表示する。画像処理装置が扱う電子カラー画像は、たとえば、ＣＣＤイメージセンサなどを撮像素子として備える撮像装置によって撮像される。撮像装置は、イメージセンサの撮像面上に結像された被写体像を撮像し、各画素に対応する画像信号（蓄積電荷信号）を出力する。撮像装置から出力される画像信号は、各画素に入射される光の強さに応じてその信号レベルが異なる。
【０００８】
撮像装置の撮像面には、たとえば、Ｒ（赤）、Ｇ（緑）およびＢ（青）のフィルタがベイヤー配列された色分解フィルタが、イメージセンサの画素位置に対応するように設けられている。撮像装置が上記色分解フィルタを通して被写体像を撮像するため、撮像装置から出力される信号は１画素当たりＲＧＢのいずれか１つの色成分の情報を有する。すなわち、Ｒ色フィルタに対応する画素からはＲ色の信号が出力され、Ｇ色フィルタに対応する画素からはＧ色の信号が出力され、Ｂ色フィルタに対応する画素からはＢ色の信号が出力される。
【０００９】
図１は、ベイヤー配列を説明する図である。図中「Ｒ」、「Ｇ」、および「Ｂ」の各文字は、それぞれの画素位置から出力される信号が有する色成分を表す。画像処理装置は、このようなベイヤーデータに対し、各画素位置でＲＧＢ全ての色成分の情報を有するように色補間処理を施す。
【００１０】
色補間処理では、Ｒ色成分の色情報を有するＲ画素位置に対応させてＧ色の信号とＢ色の信号とが生成される。また、Ｇ色成分の色情報を有するＧ画素位置に対応させてＲ色の信号とＢ色の信号とが生成される。さらに、Ｂ色成分の色情報を有するＢ画素位置に対応させてＲ色の信号とＧ色の信号とが生成される。
【００１１】
表示装置は、色補間処理後の画像信号による再生画像を表示する。すなわち、各画素位置ごとにＲＧＢそれぞれの色成分の信号比率に応じて発色させることにより、フルカラー画像が再生表示される。
【００１２】
（第一の実施形態）
以下、図面を参照して本発明を実施するための最良の形態について説明する。図２は、本発明による画像処理プログラムの処理の流れを説明するフローチャートである。第一の実施形態では、図２の処理を行うプログラムを図３に示すコンピュータ装置１００に実行させることにより、本発明による画像処理装置を提供する。画像処理プログラムをパーソナルコンピュータ１００に取込んで使用する場合には、パーソナルコンピュータ１００のデータストレージ装置にプログラムをローディングした上で、当該プログラムを実行させることによって画像処理装置として使用する。
【００１３】
パーソナルコンピュータ１００に対するプログラムのローディングは、プログラムを格納したＣＤ−ＲＯＭなどの記録媒体１０４をパーソナルコンピュータ１００にセットして行ってもよいし、ネットワークなどの通信回線１０１を経由する方法でパーソナルコンピュータ１００へローディングしてもよい。通信回線１０１を経由する場合は、通信回線１０１に接続されたサーバー（コンピュータ）１０２のハードディスク装置１０３などにプログラムを格納しておく。このように、プログラムは記録媒体１０４や通信回線１０１を介する提供など、種々の形態のコンピュータプログラム製品として供給される。
【００１４】
図２のステップＳ１において、コンピュータ装置１００（図３）のＣＰＵは、処理対象とする画像信号（ベイヤーデータ）を入力し、コンピュータ内のメモリに格納してステップＳ２へ進む。処理対象の画像信号は、パーソナルコンピュータ１００のデータストレージ装置に記録されている画像信号を入力してもよいし、ＣＤやリムーバブルメモリなどの記録媒体に記録されている画像信号を入力してもよい。
【００１５】
ステップＳ２において、ＣＰＵは、メモリに格納したベイヤーデータのピクセル数と、コンピュータ装置１００の表示モニタの表示解像度（表示ピクセル数）との比Ａ（＝〔ベイヤーデータのピクセル数〕／〔表示ピクセル数〕）を算出してステップＳ３へ進む。たとえば、ベイヤーデータが示す画像の水平方向のピクセル数が３０００であり、表示モニタの水平方向の表示ピクセル数が７５０の場合にはＡ＝４である。
【００１６】
ステップＳ３において、ＣＰＵは、メモリに格納されているベイヤーデータに対してデータ数の減少処理を施してステップＳ４へ進む。具体的には、図１において縦横にそれぞれ隣接する４画素に対応するデータ（Ｒ成分１つ、Ｂ成分１つおよびＧ成分２つ）をサブピクセルとし、ベイヤーデータが示す画像の水平方向および垂直方向のそれぞれについて、Ａ個のサブピクセルにつき１つのサブピクセルを抽出する。水平方向および垂直方向のそれぞれのデータ数（画像信号数）を１／Ａにするようにサブピクセル単位で間引くことにより、間引き後もベイヤー配列を保持しながら、間引き後の画像の信号数が１／Ａ２に減少する。
【００１７】
ステップＳ４において、ＣＰＵは減少処理後のベイヤーデータに対して色補間処理を施してステップＳ５へ進む。色補間処理の詳細については後述する。なお、表示モニタの発色特性に応じて色温度補正を行う場合には、色補間処理後の画像信号に対して色温度補正処理を施すとよい。色温度補正処理は、ホワイトバランス処理とも呼ばれる。
【００１８】
ステップＳ５において、ＣＰＵは色補間処理後（色温度補正処理を行う場合は色温度補正処理後）の画像信号（ＲＧＢデータ）を表示用メモリへ格納してステップＳ６へ進む。これにより、ＲＧＢデータが表示モニタへ出力され、ＲＧＢデータによる再生画像（フルカラー画像）が表示モニタに表示される。
【００１９】
ステップＳ６において、ＣＰＵは、表示モニタに他のベイヤーデータによる再生画像を表示させるか否かを判定する。ＣＰＵは、キーボードやポインティングデバイスから他の画像表示を指示する信号が入力される、もしくはスライドショー表示を実行中であって未表示のベイヤーデータが存在する場合、ステップＳ６を肯定判定してステップＳ１へ戻り、以上の処理を繰り返す。一方、ＣＰＵは、他の画像表示を指示する信号が入力されず、スライドショー表示を実行中でもない場合にはステップＳ６を否定判定し、図２による処理を終了する。
【００２０】
色補間処理（ステップＳ４）について詳細に説明する。本実施形態では、サブピクセルを構成する４画素データを束ねて１ピクセル分のカラーデータを得る。ステップＳ３の減少処理によってベイヤーデータから間引かれた（データ量が１／Ａ２に縮小された）サブピクセルデータは、次式（１）〜（４）で表される。
tmpR［i,j］=R［A×i,A×j］           …（１）
tmpB［i,j］=B［A×i,A×j］           …（２）
tmpG1［i,j］=G［A×i+1,A×j］        …（３）
tmpG2［i,j］=G［A×i,A×j+1］        …（４）
ただし、［i,j］はサブピクセルの配列を表し、tmpR［i,j］は減少後のＲ成分データ、tmpB［i,j］は減少後のＢ成分データ、tmpG1［i,j］およびtmpG2［i,j］は減少後のＧ成分データをそれぞれ表す。
【００２１】
ＣＰＵは、上式（３）および上式（４）の平均値を算出し、Ｇ成分データGo［i,j］=(tmpG1［i,j］+tmpG2［i,j］)/2を求める。この場合、tmpR［i,j］はＲ色の画像（Ｒ平面と呼ぶ）を構成し、tmpB［i,j］はＢ色の画像（Ｂ平面と呼ぶ）を構成し、Go［i,j］はＧ色の画像（Ｇ平面と呼ぶ）を構成する。
【００２２】
ＣＰＵは、ＲＧＢ各平面を構成するデータを用いて、次式（５）および次式（６）によって色差データCr［i,j］およびCb［i,j］を生成する。
Cr［i,j］=tmpR［i,j］-Go［i,j］      …（５）
Cb［i,j］=tmpB［i,j］-Go［i,j］      …（６）
【００２３】
ＣＰＵはさらに、上記色差データに以下のようにローパスフィルタ処理を施す。
＜水平方向のフィルタ処理＞
tmpCr［i,j］＝(4×Cr［i,j］+Cr［i-1,j］+Cr［i+1,j］)/6         …（７）
tmpCb［i,j］＝(4×Cb［i,j］+Cb［i-1,j］+Cb［i+1,j］)/6         …（８）
＜垂直方向のフィルタ処理＞
Cr［i,j］＝(4×tmpCr［i,j］+tmpCr［i,j-1］+tmpCr［i,j+1］)/6   …（９）
Cb［i,j］＝(4×tmpCb［i,j］+tmpCb［i,j-1］+tmpCb［i,j+1］)/6   …（１０）
【００２４】
ＣＰＵは、次式（１１）および次式（１２）を算出することにより、色補間されたＲＧＢ各平面を得る。
Ro［i,j］=Cr［i,j］+Go［i,j］        …（１１）
Bo［i,j］=Cb［i,j］+Go［i,j］        …（１２）
ただし、Ro［i,j］はＲ平面であり、Bo［i,j］はＢ平面であり、Go［i,j］はＧ平面である。
【００２５】
以上説明した第一の実施形態によれば、次の作用効果が得られる。
（１）画像処理装置は、画像信号に対して減少処理を行ってから色補間処理を行うようにしたので、表示モニタの表示ピクセル数に応じた信号数の画像信号にのみ色補間処理を行う。したがって、全ての画像信号に対して色補間処理を行う場合に比べてＣＰＵの処理量が少なくなり、表示モニタに素早く再生画像を表示させることができる。
【００２６】
（２）減少処理では、撮像素子２の画素並び方向における縦横にそれぞれ隣接する４画素に対応するデータ（Ｒ成分１つ、Ｂ成分１つおよびＧ成分２つ）をサブピクセルとし、このサブピクセル単位で画像信号を間引くことによって画像信号の信号数を減少させるようにした。これにより、減少処理後もベイヤー配列が保持される上に、各サブピクセルでは減少処理前の色成分比率が保持されるため、減少処理によってサブピクセルの色情報が変わってしまうことがない。
【００２７】
以上の説明では、表示モニタへ画像信号を出力する際にＲＧＢデータとして出力するようにしたが、表示モニタがＹＣｂＣｒデータを入力するように構成されている場合は、ＲＧＢデータからＹＣｂＣｒデータへ周知の変換式を用いて色空間変換し、色空間変換後のＹＣｂＣｒデータを表示モニタへ出力すればよい。
【００２８】
（第二の実施形態）
第二の実施形態では、図４の処理を行うプログラムを図５に示す電子カメラに実行させることにより、本発明による撮像装置を提供する。電子カメラの要部構成について、図５のブロック図を参照して説明する。図５において、電子カメラは、レンズユニット１と、撮像素子２と、制御回路３と、Ａ／Ｄ変換回路４と、画像処理回路５と、表示メモリ（フレームメモリ）６と、表示装置７と、メモリ（バッファーメモリ）８と、ＣＰＵ９と、操作部材１０と、モータ１１と、フォーカス制御機構１２とを有し、記録媒体１３が着脱可能に構成されている。
【００２９】
レンズユニット１は不図示のフォーカスレンズを含む。フォーカスレンズは、レンズユニット１を通過した被写体像が撮像素子２の撮像面上に結像するように、焦点位置を調節するレンズである。モータ１１がフォーカス制御機構１２を駆動することにより、フォーカス制御機構１２がフォーカスレンズを光軸方向に進退移動させる。モータ１１は、ＣＰＵ９から出力されるレンズ駆動信号によって駆動される。
【００３０】
撮像素子２は、たとえば、二次元ＣＣＤイメージセンサなどによって構成される。撮像素子２は、撮像面上の被写体像を撮像し、各画素に対応する画像信号（蓄積電荷信号）を出力する。撮像素子２の撮像面には、上記色分解フィルタ（カラーフィルタ）２ａが配設されている。
【００３１】
撮像素子２は、ＣＣＤの代わりにＭＯＳセンサやＣＩＤなどを用いて構成してもよい。制御回路３は、ＣＰＵ９からの指示に応じて撮像素子２およびＡ／Ｄ変換回路４を駆動するタイミング信号を生成し、生成した信号を撮像素子２、Ａ／Ｄ変換回路４へそれぞれ送出する。
【００３２】
撮像素子２から出力された画像信号は、Ａ／Ｄ変換回路４によってディジタル信号に変換され、ディジタルデータとして画像処理回路５へ出力される。画像処理回路５は、ＣＰＵ９からの指示に応じて、ディジタル化された画像信号（ベイヤーデータ）に対する減少処理、色補間処理、色温度補正処理、データ圧縮処理などを施す。データ圧縮処理は、たとえば、ＪＰＥＧなど所定の方式でデータサイズを小さくするものである。
【００３３】
メモリ８には、画像処理回路５による画像処理前、画像処理途中、および画像処理後の画像信号が一時的に格納される。記録媒体１３は、たとえば、メモリカードによって構成され、データ圧縮後の画像信号が記録（書込み）されたり、記録されている画像信号が読出されたりする。記録媒体１３に対する画像信号の書込みおよび読出しは、ＣＰＵ９によって行われる。画像処理回路５は、記録媒体１３から読出された圧縮データを伸長する際の伸長処理も行う。
【００３４】
ＣＰＵ９は、不図示のＡＥ（自動露出）回路およびＡＦ（自動フォーカス）回路を含み、周知の測光演算や焦点調節などの各種演算とカメラ動作のシーケンス制御とを行う。ＣＰＵ９には、操作部材１０から各種操作信号が入力される。操作部材１０は、レリーズ釦（不図示）の押下操作に連動してオンする半押しスイッチや全押しスイッチを含む。ＣＰＵ９は、操作部材１０から入力される操作信号に応じて、電子カメラの露出制御、フォーカス調節制御を総括的に管理する。
【００３５】
表示メモリ６はフレームメモリとして構成され、表示装置７に表示させる画像信号（ＲＧＢデータ）が格納される。表示装置７は小型液晶モニタなどによって構成され、表示メモリ６に格納された画像信号による再生画像を表示する。表示装置７の表示ピクセル数は約２０万であり、撮像素子２のピクセル数（数百万〜１０００万超）に比べて小さい。
【００３６】
図４によるプログラムは、上記半押しスイッチからの半押し操作信号がＣＰＵ９に入力されるとＣＰＵ９によって起動される。図４のステップＳ１１において、ＣＰＵ９はＡＦ処理を行ってステップＳ１２へ進む。ＡＦ処理では、撮影指示前に撮像素子２で撮像され、Ａ／Ｄ変換回路４によってディジタル化された画像信号のうち、フォーカス検出エリア（たとえば撮影画面中央）に対応する画像信号についての高周波数成分の積算値（いわゆる焦点評価値）が最大になるように、モータ１１によってフォーカスレンズの位置が調節される。
【００３７】
ステップＳ１２において、ＣＰＵ９はＡＥ処理を行ってステップＳ１３へ進む。ＡＦ処理では、Ａ／Ｄ変換回路４によってディジタル化された画像信号のうち、撮影画面における所定の分割領域ごとの信号値（輝度情報）を検出し、この信号値に基づいて周知の露出（露光）演算を行うことによって制御露出が算出される（いわゆるマルチパターン測光）。
【００３８】
ステップＳ１３において、ＣＰＵ９は、レリーズ釦が全押しされたか否かを判定する。ＣＰＵ９は、上記全押しスイッチからの全押し操作信号（撮影指示）が入力されるとステップＳ１３を肯定判定してステップＳ１４へ進み、全押し操作信号が入力されない場合にはステップＳ１３を否定判定してステップＳ２３へ進む。
【００３９】
ステップＳ１４において、ＣＰＵ９は制御回路３へ指令を送り、撮像素子２に撮影用の電荷蓄積、蓄積電荷の掃き出しをさせてステップＳ１５へ進む。電荷蓄積時間は上記制御露出に応じて制御される。
【００４０】
ステップＳ１５において、ＣＰＵ９は、Ａ／Ｄ変換回路４によってディジタル化された画像信号（ベイヤーデータ）をメモリ８に格納してステップＳ１６へ進む。撮像素子２の有効ピクセル数が大きいため、ベイヤーデータのピクセル数は表示装置７の表示ピクセル数よりはるかに大きい。
【００４１】
ステップＳ１６〜ステップＳ１９の処理は、それぞれ図２のステップＳ２〜ステップＳ５の処理と同様である。ここで、ベイヤーデータの水平方向のピクセル数が３０００であり、表示装置７の水平方向の表示ピクセル数が３００とする場合は、Ａ＝１０である。ＣＰＵ９は、水平方向および垂直方向のそれぞれのデータ数を１／Ａにするようにサブピクセル単位で間引き処理させることにより、ベイヤー配列を保持しながら、画像信号のデータ数を１／Ａ２に減少させる。
【００４２】
ステップＳ１９の処理が行われることにより、表示装置７には撮影用の電荷蓄積によって得られた画像信号による再生画像（すなわち撮影画像）が表示される。
【００４３】
ステップＳ２０において、ＣＰＵ９は画像処理回路５へ指令を送り、メモリ８に格納されている上記減少処理前のベイヤーデータに対して色補間処理を施してステップＳ２１へ進む。なお、あらかじめ電子カメラに設定されている設定内容に応じて色温度補正を行う場合には、色補間処理後の画像信号に対して色温度補正処理が施される。
【００４４】
ステップＳ２０における減少処理前のベイヤーデータに対する色補間処理は、ステップＳ１８（ステップＳ４）における減少処理後のベイヤーデータに対する色補間処理に比べて高精度の処理が行われる。たとえば、Ｇ画素でない画素位置（Ｒ画素もしくはＢ画素）に対応させてＧ色成分の信号を補間する場合、画像処理回路５は、画素並びにおける縦方向もしくは横方向についてのＧ色成分の信号の平均値に、当該画素位置におけるＲ色成分もしくはＢ色成分の信号の変化量を加えてＧ色成分の信号を生成する。隣接するＧ色成分の信号の単純平均のみでなく、他の色成分の信号変化量を加えることによって色補間の精度が高められる。Ｒ色成分、Ｂ色成分の信号を補間する場合も同様である。
【００４５】
ステップＳ２１において、ＣＰＵ９は画像処理回路５へ指令を送り、色補間処理後（色温度補正処理を行う場合は色温度補正処理後）の画像信号（ＲＧＢデータ）に対する圧縮処理を行わせてステップＳ２２へ進む。
【００４６】
ステップＳ２２において、ＣＰＵ９は、圧縮処理後の画像信号を記録媒体１３へ記録してステップＳ２３へ進む。ステップＳ２３において、ＣＰＵ９は、半押しタイマー切れか否かを判定する。ＣＰＵ９は、半押し操作信号が入力されない状態が所定時間継続されるとステップＳ２３を肯定判定し、所定の電源オフ処理を行ってから図４による処理を終了する。一方、ＣＰＵ９は、半押し操作信号が入力されている、もしくは半押し操作信号が入力されない状態が所定時間に満たない場合にはステップＳ２３を否定判定し、ステップＳ１１へ戻って上記処理を繰り返す。
【００４７】
以上説明した第二の実施形態によれば、次の作用効果が得られる。
（１）電子カメラは、撮影指示に応じて撮像素子２に電荷蓄積させ、掃き出させた蓄積電荷信号（画像信号）をメモリ８に格納し、表示装置７に再生表示させる場合にも記録媒体１３へ記録する場合にも用いる。再生表示させる場合は、画像信号に対して減少処理を行ってから色補間処理を行うようにしたので、全ての画像信号に対して色補間処理を行う場合に比べて画像処理回路５の処理量が少なくなり、表示装置７に素早く再生画像を表示させることができる。
【００４８】
（２）減少処理後のベイヤーデータに対する色補間処理（ステップＳ１８）を単純平均による簡略化した処理とし、減少処理前のベイヤーデータに対する色補間処理（ステップＳ２０）を高精度の処理としたので、常に高精度の色補間処理を行う場合に比べて画像処理回路５の処理量が少なくなり、表示装置７に素早く再生画像を表示させることができる。
【００４９】
（３）第一の実施形態と同様に、減少処理ではサブピクセル単位で画像信号を間引いたので、減少処理によってサブピクセルの色情報が変わってしまうことがない。
【００５０】
（４）記録媒体１３への記録する場合は、メモリ８に格納され、減少処理が行われていない画像信号に色補間処理を行うようにしたので、上記再生表示するための画像信号と別に撮像素子２に電荷蓄積、掃き出しをさせる必要がない。
【００５１】
以上の説明では、カラー電子画像がＲＧＢの色分解フィルタを通して撮影された原色系画像信号で表されている例を説明したが、補色系色分解フィルタを通して撮影された補色系画像信号で表されている画像にも本発明を適用できる。なお、色分解数は３色に限らず、４色のものであってもよい。また、デルタ配列をはじめとする他のフィルタ配列の場合にも適用できる。ただし、サブピクセル単位で間引き処理（減少処理）を施した後も、色分解フィルタの配列を保持するように画像信号のデータ数を減少させる。
【００５２】
撮像装置として電子カメラを例に説明したが、撮像素子と、画像表示可能な表示モニタとを備える電子機器であれば、カメラ付き携帯電話機にも本発明を適用できる。
【００５３】
撮影指示に応じて１コマの画像を撮影し、撮影画像を表示するとともに記録するスチル撮影を例に説明したが、画像を続けて撮影し、撮影画像を逐次表示、記録する動画撮影の場合にも本発明を適用してよい。
【００５４】
以上の説明はあくまで一例であり、発明を解釈する上で、上記の実施形態の構成要素と本発明の構成要素との対応関係に何ら限定されるものではない。
【図面の簡単な説明】
【００５５】
【図１】ベイヤー配列を説明する図である。
【図２】画像処理プログラムの処理の流れを説明するフローチャートである。
【図３】プログラムを実行するコンピュータ装置を説明する図である。
【図４】電子カメラで起動されるプログラムの処理の流れを説明するフローチャートである。
【図５】電子カメラの要部構成を説明するブロック図である。
【符号の説明】
【００５６】
１…レンズユニット
２…撮像素子
２ａ…カラーフィルタ
４…Ａ／Ｄ変換回路
５…画像処理回路
６…表示メモリ
７…表示装置
８…メモリ
９…ＣＰＵ
１０…操作部材
１００…コンピュータ装置
１０１…通信回線
１０２…サーバコンピュータ
１０３…ハードディスク装置
１０４…記録媒体
【図１】
2007096677.tif 000003
【図２】
2007096677.tif 000004
【図３】
2007096677.tif 000005
【図４】
2007096677.tif 000006
【図５】
2007096677.tif 000007